(57)【要約】【課題】本発明の課題は、複数のビデオ規格に従ったビデオ信号の自動識別を可能にするビデオ装置を提供することである。【解決手段】コンポーネントビデオ信号の検出が、Ｙビデオ入力部の選択後に、マイクロコントローラにより、コンポーネントビデオ端子からの信号を同期信号検出器へ渡すように入力スイッチングマトリクスを設定することにより自動的に行われ、前記端子が妥当な輝度信号を供給している場合は、コンポーネントビデオ信号が認識され、ついで出力スイッチングマトリクスにより通され、前記端子に妥当な輝度信号が存在しない場合は、マイクロコントローラが、入力スイッチングマトリクスをＣＶＢＳまたはＳ−ＶＨＳ端子に切り換え、同期信号検出器により同期信号の妥当性を検査するようにする。【選択図】図２
2004343703.tif 000002
【特許請求の範囲】
【請求項１】
入力スイッチングマトリクス（６）と、
同期信号検出器（７）と、
カラーデコーダ（８）と、
出力スイッチングマトリクス（９）と、
入力スイッチングマトリクス（６）を制御するマイクロコントローラ（１０）とを有しており、
入力スイッチングマトリクスには少なくとも１つのビデオ入力部（４）が接続されており、ビデオ入力部（４）は、コンポーネントビデオ信号用の端子（ＹＰｒＰｂ）およびＣＶＢＳ端子（ビデオ）もしくはＳ−ＶＨＳ端子（Ｓビデオ）を有しており、
同期信号検出器（７）は入力スイッチングマトリクス（６）の輝度出力部に接続されており、
カラーデコーダ（８）は入力スイッチングマトリクス（６）の輝度出力部（Ｙ）とクロミナンス出力部（Ｐｒ）とに接続されており、
出力スイッチングマトリクス（９）は入力スイッチングマトリクス（６）とカラーデコーダ（８）とに接続されており、
マイクロコントローラ（１０）は入力スイッチングマトリクス（６）と同期信号検出器（７）とに接続されている形式のビデオ装置（２）において、
コンポーネントビデオ信号の検出は、Ｙビデオ入力部（４）の選択後、マイクロコントローラ（６）が、前記ビデオ入力部（４）のコンポーネントビデオ信号用の端子（ＹＰｒＰｂ）からの信号を同期信号検出器（７）へ渡すように入力スイッチングマトリクス（６）を設定することにより自動的に行われ、
前記端子（ＹＰｒＰｂ）が妥当な輝度信号を供給している場合は、コンポーネントビデオ信号が識別され、ついで出力スイッチングマトリクス（９）がコンポーネントビデオ信号をスイッチングにより通過させ、
コンポーネントビデオ端子（ＹＰｒＰｂ）に妥当な輝度信号が存在していない場合は、マイクロコントローラ（１０）が、入力スイッチングマトリクス（６）を前記ビデオ入力部（４）のＣＶＢＳ端子（ビデオ）またはＳ−ＶＨＳ端子（Ｓビデオ）に切り換え、それぞれ同期信号検出器（７）によって同期信号の妥当性を検査する、ことを特徴とするビデオ装置。
【請求項２】
前記ビデオ装置は少なくとも第１および第２のビデオ入力部（４，５）を有しており、
少なくとも第１のビデオ入力部（４）は、コンポーネントビデオ信号（ＹＰｒＰｂ）、ＣＶＢＳビデオ信号（ビデオ）、およびＳ−ＶＨＳ信号（Ｓビデオ）のための端子を有しており、
第１のビデオ入力部（４）が選択された後、マイクロコントローラ（１０）はまずコンポーネントビデオ信号（ＹＰｒＰｂ）の妥当性を検査し、つぎにＳ−ＶＨＳビデオ信号（Ｓビデオ）の妥当性を検査し、つぎにＣＶＢＳビデオ信号（ビデオ）の妥当性を検査する、請求項１記載のビデオ装置。
【請求項３】
コンポーネントビデオ信号用の端子（ＹＰｒＰｂ）を備えたビデオ入力部（４）と、入力スイッチングマトリクス（６）と、マイクロコントローラ（１０）と、同期信号検出器（７）とを有するビデオ装置（２）内でのコンポーネントビデオ信号の自動検出のための方法において、
ａ）ビデオ入力部（４）を選択した後、マイクロコントローラ（１０）が入力スイッチングマトリクス（６）を設定することにより、コンポーネントビデオ信号用の端子（ＹＰｒＰｂ）からの信号が同期信号検出器（７）へ渡されるようにするステップと、
ｂ）マイクロコントローラ（１０）が信号の整定まで所定の期間待機するようにするステップと、
ｃ）マイクロコントローラ（１０）が同期信号検出器（７）にアクセスして、輝度信号の妥当性および安定性に関するフィードバックを得るようにするステップと、
ｄ）妥当な輝度信号が存在している場合には、コンポーネントビデオ信号（ＹＰｒＰｂ）は妥当であり、それぞれのコンポーネントビデオ信号を出力スイッチングマトリクス（９）のスイッチングにより通過させるステップと、
ｅ）コンポーネントビデオ信号端子（ＹＰｒＰｂ）に妥当な輝度信号が存在していない場合には、マイクロコントローラ（１０）が入力スイッチングマトリクス（６）をビデオ入力部（４）のＣＶＢＳ端子（ビデオ）またはＳ−ＶＨＳ端子（Ｓビデオ）に切り換え、同期信号検出器（７）によって同期信号の妥当性が検査されるようにするステップとを有することを特徴とするコンポーネントビデオ信号の自動検出のための方法。
【請求項４】
前記ビデオ装置（２）は少なくとも第１および第２のビデオ入力部（４，５）を有しており、
少なくとも第１のビデオ入力部（４）は、コンポーネントビデオ信号（ＹＰｒＰｂ）、ＣＶＢＳビデオ信号（ビデオ）、およびＳ−ＶＨＳ信号（Ｓビデオ）のための端子を有しており、
第１のビデオ入力部（４）が選択された後、マイクロコントローラ（１０）はまずコンポーネントビデオ信号（ＹＰｒＰｂ）の妥当性を検査し、つぎにＳ−ＶＨＳビデオ信号（Ｓビデオ）の妥当性を検査し、つぎにＣＶＢＳビデオ信号（ビデオ）の妥当性を検査する、請求項３記載の方法。
【発明の詳細な説明】
【技術分野】
【０００１】
本発明は、入力スイッチングマトリクスと、同期信号検出器と、カラーデコーダと、出力スイッチングマトリクスと、入力スイッチングマトリクスを制御するマイクロコントローラとを有しており、入力スイッチングマトリクスには少なくとも１つのビデオ入力部が接続されており、ビデオ入力部は、コンポーネントビデオ信号用の端子およびＣＶＢＳ端子もしくはＳ−ＶＨＳ端子を有しており、同期信号検出器は入力スイッチングマトリクスの輝度出力部に接続されており、カラーデコーダは入力スイッチングマトリクスの輝度出力部とクロミナンス出力部とに接続されており、出力スイッチングマトリクスは入力スイッチングマトリクスとカラーデコーダとに接続されており、マイクロコントローラは入力スイッチングマトリクスと同期信号検出器とに接続されている形式のビデオ装置に関する。
【背景技術】
【０００２】
民生用ビデオ機器間のビデオ信号の伝送に関しては、いくつかのインタフェース規格が公知である。最も良いビデオ品質はいわゆるＲ、Ｇ、Ｂ信号によって得ることができる。Ｒ、Ｇ、Ｂ信号においては、赤、緑および青の３つの色が、カラー受像管内で表示される色に応じて、それぞれ別個の信号として供給される。しかし、このビデオ規格は各信号に対して広い帯域幅を有する３つの別個の信号線を必要とするため、この規格は民生用電子機器にはめったに使用されない。
【０００３】
非常に一般的なのはＣＶＢＳ伝送（ドイツではＦＢＡＳ）である。この規格によれば、ビデオ信号は色信号Ｃと輝度信号Ｙとから構成されており、同期信号Ｓおよびブランキング信号Ｂも含まれている。このビデオ規格は広く使用されており、例えば地上テレビ伝送にも使用されている。輝度信号と色信号は１つの信号線で伝送するために加算されるので、これらの成分はディスプレイでの再生のためにはテレビ受像機において分離されなければならない。
【０００４】
ＣＶＢＳ規格はカラーテレビ受像機の初期から使用されており、画質と伝送帯域幅との間でうまく妥協が図られている。輝度信号と色信号はこの規格では密に重畳されるので、輝度信号と色信号をテレビ受像機において完全に分離することは不可能であり、例えばクロスカラー歪みおよびクロスルミナンス歪みが生じる。それゆえ、高画質ビデオ記録およびビデオ記憶のためには、他のビデオ規格が使用されることが多い。例えば、コンポーネントビデオ信号やＳビデオ（Ｓ−ＶＨＳ）が使用される。
【０００５】
コンポーネントビデオ規格は、２つの色差信号ＰｒおよびＰｂを供給するＹＰｒＰｂまたはＹＣｒＣｂ、ならびに輝度情報を供給するＹ信号の３つの別個の信号を供給し、これら３つの信号からすべてのＲＧＢ色信号を生成することができる。ＹＰｒＰｂ信号はテレビ受像機で使用されるＹ，Ｕ，Ｖ信号と類似しているが、電圧レベルが異なっている。例えばＳ−ＶＨＳレコーダのインタフェースとして使用されるＳビデオ規格では、色成分ＵおよびＶは直交振幅変調（ＱＡＭ）を介して色信号Ｃに結合される。
【０００６】
例えばＶＨＳおよびＳ−ＶＨＳレコーダ、ビデオムービーカメラ、ＤＶＤプレーヤおよびＤＶＤレコーダといったように、民生用ビデオ機器は非常に多様であるため、実際のテレビ受像機は、例えばＡＶ１，ＡＶ２およびＡＶ３として知られる複数の入力部を備えており、これら入力部の各々にビデオ機器を接続することができる。ビデオ入力部は入力スイッチングマトリクスに接続されており、テレビ受像機のユーザはこの入力スイッチングマトリクスを介して特定の入力部を選択することができる。ビデオ規格は多種存在するので、ビデオ入力部、または少なくともメインビデオ入力部ＡＶ１は、すべての規格のビデオ信号を扱えるべきである。したがって、ユーザはテレビ受像機に接続されたビデオ機器の出力部においてどのビデオ規格が使用可能なのか知っていなければならない、または、ビデオ信号の自動識別がテレビ受像機により提供されなければならない。
【発明の開示】
【発明が解決しようとする課題】
【０００７】
本発明の課題は、複数のビデオ規格に従ったビデオ信号の自動識別を可能にするビデオ装置を提供することである。
【課題を解決するための手段】
【０００８】
上記課題は、本発明により、入力スイッチングマトリクスと、同期信号検出器と、カラーデコーダと、出力スイッチングマトリクスと、入力スイッチングマトリクスを制御するマイクロコントローラとを有しており、入力スイッチングマトリクスには少なくとも１つのビデオ入力部が接続されており、ビデオ入力部は、コンポーネントビデオ信号用の端子およびＣＶＢＳ端子もしくはＳ−ＶＨＳ端子を有しており、同期信号検出器は入力スイッチングマトリクスの輝度出力部に接続されており、カラーデコーダは入力スイッチングマトリクスの輝度出力部とクロミナンス出力部とに接続されており、出力スイッチングマトリクスは入力スイッチングマトリクスとカラーデコーダとに接続されており、マイクロコントローラは入力スイッチングマトリクスと同期信号検出器とに接続されている形式のビデオ装置において、コンポーネントビデオ信号の検出は、Ｙビデオ入力の選択後に、マイクロコントローラが、ビデオ入力部のコンポーネントビデオ信号用の端子からの信号を同期信号検出器へ渡すように入力スイッチングマトリクスを設定することにより自動的に行われ、前記端子が妥当な輝度信号を供給している場合は、コンポーネントビデオ信号が認識され、ついで出力スイッチングマトリクスがコンポーネントビデオ信号をスイッチングにより通過させ、コンポーネントビデオ端子に妥当な輝度信号が存在しない場合は、マイクロコントローラが、入力スイッチングマトリクスをビデオ入力部のＣＶＢＳ端子またはＳ−ＶＨＳ端子に切り換え、それぞれ同期信号検出器によって同期信号の妥当性を検査するように構成することにより解決される。
【発明を実施するための最良の形態】
【０００９】
本発明によるビデオ装置は入力スイッチングマトリクスと入力部とを有しており、入力スイッチングマトリクスには少なくとも１つのビデオ入力部が接続されており、入力部はコンポーネントビデオ信号用の端子と少なくともＣＶＢＳ端子、同様にＳ−ＶＨＳ端子を有している。このビデオ装置はさらに入力スイッチングマトリクスの輝度出力部に接続された同期信号検出器と、入力スイッチングマトリクスの輝度出力部とクロミナンス出力部とに接続されたカラーデコーダと、入力スイッチングマトリクスとカラーデコーダとに接続された出力スイッチングマトリクスと、入力スイッチングマトリクスを制御するマイクロコントローラとを有しており、マイクロコントローラは同期信号検出器にも接続されている。
【００１０】
コンポーネントビデオ信号の検出はマイクロコントローラにより自動的に行われる。マイクロコントローラは、ビデオ入力部を選択した後、このビデオ入力部のコンポーネントビデオ信号用の端子からのＹ信号を同期信号検出器へ渡すように入力スイッチングマトリクスを設定する。つぎに、マイクロコントローラは所定の期間待機し、その後、同期信号検出器にアクセスして、同期信号検出器に供給される信号の妥当性および安定性に関するフィードバックを得る。信号が妥当な輝度信号であれば、このビデオ入力部にはコンポーネントビデオ信号が存在しており、コンポーネントビデオ信号はつぎに出力スイッチングマトリクスに供給される。信号が妥当な輝度信号でなければ、マイクロコントローラは、ＣＶＢＳ信号またはＳ−ＶＨＳ信号のどちらかを同期信号検出器およびカラーデコーダへ渡すように入力スイッチングマトリクスを設定する。つぎに、ＣＶＢＳ輝度信号またはＳ−ＶＨＳ輝度信号は、妥当な同期信号および色信号であるか検査される。
【００１１】
したがって、本発明はユーザにビデオ機器からのビデオ信号を視聴するための自動設定を提供する。ただし、ビデオ機器は公知のビデオ規格のうちの１つに従ったビデオ出力部を有しており、また特にコンポーネントビデオ信号出力部を有している。ユーザはそれゆえビデオ機器の出力部で使用できるビデオ信号規格を理解しなくてもよく、また特定の入力ビデオタイプを選択する必要もない。入力ビデオタイプの選択は、例えば、ビデオ機器に接続されたテレビ受像機のオンスクリーンディスプレイ（ＯＳＤ）が、使用可能な入力ビデオタイプのリストを提供することによって為し得る。また、ユーザマニュアルおよびビデオ機器が販売されている国向けのユーザマニュアルの翻訳の中の個々の情報を理解する必要もない。
【００１２】
したがって、マイクロコントローラにより同期信号検出器を用いてコンポーネントビデオ信号を検出することが可能である。本発明は特にテレビ受像機、アナログもしくはディジタルレコーダ、オーディオ／ビデオ（Ａ／Ｖ）受信機、および、複数のテレビ規格用のビデオ入力部と同期信号検出器とを有する他の任意の機器に対して有用である。
【実施例】
【００１３】
図１には、公知のビデオ規格、例えばＣＶＢＳに従ったビデオ出力端子３と、Ｓ−ＶＨＳビデオ信号を供給するＳビデオに従ったビデオ出力端子３と、コンポーネントビデオ信号を供給するコンポーネントビデオ信号出力部ＹＰｒＰｂとを有するＤＶＤプレーヤ１が示されている。特定のビデオ出力部がユーザによって選択されるようにしてもよいし、またはＤＶＤの再生時に、ビデオ信号がＤＶＤプレーヤのすべてのビデオ出力部に供給されるようにしてもよい。すでに説明したように、高画質のためにはコンポーネントビデオ信号出力が好適である。
【００１４】
ＤＶＤプレーヤ１は、この実施例ではテレビ受像機２であるビデオ装置に接続されている。テレビ受像機２はビデオ入力部４を有しており、ＤＶＤプレーヤ１の出力部はこのビデオ入力部４に接続されている。テレビ受像機はふつう、図１には図示されていないが、例えばビデオレコーダまたはセットトップボックスといった他のビデオソースを接続することのできる別のビデオ入力部をさらに有している。
【００１５】
図２には、より詳細にテレビ受像機２が、特に、テレビ受像機２の入力部が示されている。すでに説明したように、ビデオ入力部４は、ＣＶＢＳ、Ｓ−ＶＨＳおよびコンポーネントビデオといったそれぞれのビデオ規格に従ったテレビ信号用の端子であるＹＰｒＰｂ端子、ビデオ端子およびＳビデオ端子を有している。テレビ受像機２はさらにビデオ入力部４と同じ入力端子をもった第２のビデオ入力部５を有している。ビデオ入力部４および５は、ＡＶ１およびＡＶ２とも呼ばれるが、さらにオーディオ信号用の相応の端子を有している。本発明にはオーディオ信号は関係ないので、これらのオーディオ信号用の端子は図示されていない。
【００１６】
ビデオ入力部４および５は入力スイッチングマトリクス６に接続されており、テレビ受像機のユーザは入力スイッチングマトリクス６を介して望み通りにそれぞれの入力部を選択することができる。入力スイッチングマトリクス６は３つの出力ライン１３，１４および１５を有しており、それぞれのビデオ信号は、入力スイッチングマトリクス６の選択に従って、出力ラインに出力され、相応するビデオ入力部４または５に供給される。
【００１７】
コンポーネントビデオ信号がビデオ入力部４に供給され、入力スイッチングマトリクス６によって選択された場合、出力ライン１３，１４および１５にはビデオ信号Ｐｂ，ＰｒおよびＹが出力される。Ｓ−ＶＨＳ信号の場合には、色信号Ｃｈｒｏｍａがライン１４に、輝度信号Ｌｕｍａがライン１５に出力され、ＣＶＢＳ信号の場合には、ＣＶＢＳ信号がライン１５に出力される。ライン１５は、同期パルスを輝度信号から抽出するため同期デコーダ７に接続されており、ライン１４に出力された色信号のカラーデコーディングを制御するためカラーデコーダ８に接続されている。ライン１５はカラーデコーダ８にも接続されている。さらに、ライン１３，１４および１５は出力スイッチングマトリクス９に接続されており、出力スイッチングマトリクス９は、コンポーネントビデオ信号ＹＰｒＰｂが存在する場合には、Ｐｂ信号、Ｐｒ信号をＵ色信号およびＶ色信号に変換して、ディスプレイ処理ユニット１１での処理のためにＹＵＶ信号を出力スイッチングマトリクス９の出力部に供給する。テレビ受像機２内でのディスプレイ処理については、従来技術において周知であるので、ここではこれ以上説明しない。ディスプレイ処理は、例えばブラウン管（ＣＲＴ）、ＬＣＤまたはプラズマパネルであるディスプレイ１２に相応の出力信号を供給する。また、テレビ受像機２のチューナ部も図示されていないが、これは地上またはケーブルテレビの番組の視聴に必要であり、ふつうは入力スイッチングマトリクス６に接続されている。
【００１８】
ＣＶＢＳ信号が出力ライン１５に存在している場合には、同期信号デコーダ７とカラーデコーダ８はカラーデコーダ８の出力側にそれぞれの出力信号ＹＵＶを供給する。これは、Ｓ−ＶＨＳ信号がライン１４および１５に存在している場合も同様である。カラーデコーダ８の出力部は出力スイッチングマトリクス９にも接続されている。入力スイッチングマトリクス６、同期信号検出器７、およびカラーデコーダ８はそれぞれ例えばＩ２Ｃバスを介してマイクロコントローラ１０に接続されており、マイクロコントローラ１０によって制御される。
【００１９】
本発明によれば、出力ライン１３，１４，１５における、ＹＰｒＰｂ、Ｓ−ＶＨＳ信号の場合のＣｈｒｏｍａ／Ｌｕｍａ、およびＣＶＢＳの各信号の識別は、同期信号検出器７、カラーデコーダ８およびマイクロコントローラ１０によって自動的に行われる。ユーザがビデオ入力部４に接続されたＤＶＤプレーヤによるビデオを見るために、入力スイッチングマトリクス６を例えばビデオ入力部４に切り換えると、出力ライン１３，１４および１５にはビデオ信号が出力される。入力スイッチングマトリクス６は、ユーザにより指示された通りに、マイクロコントローラ７に応答して設定される。そしてライン１５のＹ信号は同期信号デコーダ４へ渡される。
【００２０】
つぎに、マイクロコントローラは、信号が安定化するように、所定の期間、例えば数ミリ秒の間待機する。それから、マイクロコントローラ７は同期信号検出器４にアクセスして、輝度信号の妥当性または安定性に関するフィードバックを得る。輝度信号が妥当ならば、コンポーネントビデオ入力がビデオ入力部４に存在しており、コンポーネントビデオ入力は出力スイッチングマトリクス９のスイッチングにより通され、表示される。妥当な輝度信号が同期検出器７に存在しない場合には、マイクロコントローラ１０は入力スイッチングマトリクスをビデオ入力部４のＳ−ＶＨＳ端子であるＳビデオに切り換える。そして、Ｓ−ＶＨＳ端子に妥当な同期信号が存在しているかどうかが検査される。Ｓ−ＶＨＳ信号が存在していない場合には、入力スイッチングマトリクス６はビデオ入力部４のビデオ端子に切り換え、妥当なＣＶＢＳ信号であるか検査が行われる。
【００２１】
コンポーネントビデオ信号とＳ−ＶＨＳは特にカラーデコーダ８によって区別することができる。例えば、カラーデコーダ８はライン１４にカラーバースト信号が存在しているか否かを検査することができる。このカラーバースト信号は、Ｓ−ＶＨＳ信号の色信号内には存在しているが、コンポーネント信号ＰｒまたはＰｂには存在していない。カラーデコーダ８からのそれぞれのフィードバックは制御ラインを介してマイクロコントローラ１０に対して為される。ＣＶＢＳ／Ｓビデオ検出もすでにテレビ受像機に備わっており、本発明によれば、コンポーネントビデオ信号は、同期信号検出器７を使用している場合にはマイクロコントローラ１０によって、またカラーデコーダ８によって検出および識別することもできる。
【００２２】
本発明は図面に関連して示され説明された実施例に限定されるものではなく、当業者にとっては、本発明の範囲から逸脱することなくさまざまな変更が可能である。例えば、本発明はディジタルサラウンドアンプ内でも、ディジタルビデオレコーダ内でも、入力スイッチング、同期信号検出器およびマイクロプロセッサを有する他の機器内でも使用することができる。
【図面の簡単な説明】
【００２３】
【図１】テレビ受像機に接続されたＤＶＤプレーヤを示す。
【００２４】
【図２】図１によるテレビ受像機の入力部を示す。
【符号の説明】
【００２５】
１  ＤＶＤプレーヤ
２  テレビ受像機
３  ビデオ出力端子
４  ビデオ入力部
５  ビデオ入力部
６  入力スイッチングマトリクス
７  同期信号検出器
８  カラーデコーダ
９  出力スイッチングマトリクス
１０  マイクロコントローラ
１１  ディスプレイ処理ユニット
１２  ディスプレイ
１３  出力ライン
１４  出力ライン
１５  出力ライン
【図１】
2004343703.tif 000003
【図２】
2004343703.tif 000004